(57)【要約】【課題】従来、切り花を花瓶に活けた後で、日持ちを長くする為に様々な努力をしているが、夏の時期には、延命剤を使っても水温の上昇は抑制出来ないので、冬の時期の半分以下の日数で廃棄されている。既に所有する一般的な花瓶に取り付けるだけで、簡便に花瓶の中の水温の上昇を防止する事が出来る花瓶の水温上昇防止カバーを提供する。【解決手段】薄手の木綿生地のような、薄くて水分を吸収し且つ蒸発し易い素材を用い、花瓶の外壁面を覆う蒸発誘導カバーを作製し、その裏面の上部縁に沿って毛細管効果と保水性の高い生地で保水帯を形設し、同様な生地で、保水帯に対し外側に直交する配置で水吸い上げ帯と安定補助帯を形設し、カバーの上下部縁にはゴムひもを通し、四角に、上下部は同一面、左右は裏表面になるように面ファスナーを設けてあることを特徴とする花瓶の水温上昇防止カバー。【選択図】図１
2015097774.tif 000002
【特許請求の範囲】
【請求項１】
薄手の木綿生地のような、薄くて水分を良く吸収し且つ蒸発しやすい素材を用いて、花瓶の外壁面を巻き覆う蒸発誘導カバーにおいて、横長の略長方形状を縦面に展開したと仮定し、長辺上部縁に沿って、全長に亘って、数センチ幅で、少し厚みを持って毛細管効果と保水性の高い生地素材を用い、保水帯を形設し、この保水帯において、ほぼ中間辺に、同様の素材で外側へ直交する形で、花瓶の中の水中に届く程の長めで、数センチ幅の水吸い上げ帯を形設し、別の任意の位置に同様に、花瓶の中の水面に届かない程の短めに、安定補助帯を形設し、この長辺上部縁即ち保水帯の上部縁端と、長辺下部縁に、左右端の数センチを残すほぼ全長に亘って、ゴムひもを通し、このように形成された蒸発誘導カバーの四角に、上下が同一面、左右が裏表面になるように、面ファスナー等のカバー留め具を設けてあることを特徴とする花瓶の水温上昇防止カバー。
【発明の詳細な説明】
【技術分野】
【０００１】  この発明は、花瓶の水温の上昇を抑制して切り花などの延命をするためのカバーに関するものである。
【背景技術】
【０００２】  従来、夏の季節や設置場所などの気温が高い場合は、花瓶の水も次第に上昇するために、切り花等は冬季の時期に比べて著しく日持ちが悪く、花瓶内に氷を入れて水冷しても１−２時間程経てばまた元の水温に戻ってしまう。昼夜に渡り幾日も水温を監視して適温の状態を維持することや、エアコンなどで設置場所を適温に保持し続けることは、過分の労力と費用が要る為に容易に出来るものではない。
よってこの時期は、切り花などの購買力が減少するために、花木業界に関連する多くの活動分野には悩ましい影響を与えている。
透水性の釉薬を使って花瓶を作り、中の水が徐々に染み出て、その蒸発により花瓶の水を冷やす製品も知られている（特許文献１参照）。又、２重構造にした器具に氷を入れて冷却し、切り花などの日持ちを改善する器具も知られている（特許文献２参照）。
【先行技術文献】
【特許文献】
【０００３】
【特許文献１】特許公開２００８−１９６８３７号公報
【特許文献２】特許公開２０００−５００９号公報
【発明の開示】
【発明が解決しようとする課題】
【０００４】  従来、切り花などを花瓶に活けた後、水の交換や栄養補給など日持ちを一日でも長くする為に、各自多様な努力と管理をしているが、夏の季節など気温が高い時期や環境下では、市販の延命剤を使っても花瓶の中の水温の上昇を防ぐことが出来ず、ぬるま湯に切り花などを活けてある状態と同様になることで、冬季の半分以下の２−３日位で廃棄しているのが現状である。
参照文献１及び２に示される先行技術は、花瓶の水温の上昇をある程度の防止が出来るけれども、既に所有されている一般的な様々な花瓶には使えないので余計な出費を伴い、更に、氷を用意して置く必要もあって有効的な資源の活用にはならない。
本発明は、以上の問題点を解決するためになされたものである。
【課題を解決するための手段】
【０００５】  薄手の木綿生地のような、薄くて水分を良く吸収し且つ蒸発しやすい素材を用いて、花瓶の外壁面を巻き覆う蒸発誘導カバーにおいて、横長の略長方形状を縦面に展開したと仮定した上で、以下構造的特徴を説明する。
長辺上部縁に沿って、全長に亘って、数センチ幅で、少し厚みを持って毛細管効果と保水性の高い生地素材を用い、保水帯を形成する。この保水帯において、ほぼ中間辺に、同様の素材で外側へ直交する形で、花瓶の中の水中に届く程の長めで、数センチ幅の水吸い上げ帯を形設し、別の任意の位置に同様に、花瓶の中の水面に届かない程の短めに、安定補助帯を形設する。
この長辺上部縁即ち保水帯の上部縁端と、長辺下部縁に、左右端の数センチを残すほぼ全長に亘って、ゴムひもを通す。このように形成された蒸発誘導カバーの四角に、上下が同一面、左右が裏表面になるように面ファスナー等のカバー留め具を設ける。
以上を特徴とする花瓶の水温上昇防止カバーである。
【発明の効果】
【０００６】  花瓶の外壁面を巻き覆った、本発明の蒸発誘導カバーの表面からは、気温や湿度と関連した水分の蒸発によって、氷や電源などを使わず自動的に連続して、花瓶の中の水が冷却される為に、ぬるま湯の状態になるのを抑制することが出来るので、切り花などは日持ちが従来の約２−３倍も長い延命の効果が得られる。
又、本発明には、ゴムひもと面ファスナーが形設してあるので、上下間の外形が同じ器や、上下が小径で中央部が膨らんだ形状の器など、各種の形状や寸法の変化にも柔軟に対応することが出来る。
更に、水吸い上げ帯の幅を変えることで、蒸発誘導カバーに供給する為の水量の調整が容易に出来る。
又、蒸発誘導カバーに多様な模様や色彩を作製することで、既に所有している花瓶に、好む色柄などを選択して装着が出来るようになり、従来は、常時変わらない花瓶の表面にも、多様な異なる変化を付けて楽しむことが出来る。
【図面の簡単な説明】
【０００７】
【図１】本発明を花瓶に取り付けた状態を示す斜視図
【図２】本発明の展開形状の一例を示した裏面図
【図３】本発明の展開形状の一例を示した表面図
【発明を実施するための形態】
【０００８】  以下、本発明の具体的な実施の形態を説明する。
薄手の木綿生地のような、薄くて水分を良く吸収し且つ蒸発しやすい素材を用いて、花瓶の外壁面を巻き覆う蒸発誘導カバー（１）において、横長の略長方形状を縦面に展開したと仮定する。
長辺上部縁に沿って、全面に亘って、数センチ幅で、少し厚みを持って毛細管効果と保水性の高い生地素材を用い、保水帯（２）を形成する。この保水帯（２）において、ほぼ中間辺に、同様の素材で外側へ直交する形で、花瓶（６）の中の水中に届く程の長めで、数センチ幅の水吸い上げ帯（４）を形設し、別の任意の位置に同様に、花瓶（６）の中の水面に届かない程の短めに安定補助帯（３）を形設する。
この長辺上部縁即ち保水帯（２）の上部縁端と、長辺下部縁に、左右端の数センチを残すほぼ全長に亘って、ゴムひも（７）を通す。このように諸要素を付加的に形設された蒸発誘導カバー（１）の四角に、上下が同一面、左右が裏表面になるように面ファスナー等のカバー留め具（５）を設ける。
本発明は以上のような構成であり、以下、実際の使い方を説明する。
まず、使用する花瓶（６）と下に敷く受け皿を用意し、花瓶（６）には使用に必要な量の水を入れておく。次に、本発明の全体に雑巾掛けをする程度の水分を含ませ、花瓶（６）の外壁面に出来るだけ密着するように巻き付けながら、水吸い上げ帯（４）を花瓶（６）の水の中に落とし入れ、水気を含んだ安定補助帯（３）を花瓶（６）の開口部の縁に内外に股ぎ掛けて、花瓶（６）の内側に落とし込んだ片端は、その先端が水面に届かない程度にして内壁に沿い垂らしておく。
本発明をだぶつかない程度に花瓶（６）に取り付けが済んだら、付帯のカバー留め具（５）を使ってしっかり固定する。これで本発明を花瓶（６）に取り付ける作業が終了となり、後は花瓶（６）の使用を開始することが出来る。
花瓶（６）の中から水吸い上げ帯（４）によって吸い上げられた水は、保水帯（２）に一旦貯留した後で、蒸発誘導カバー（１）の全体に、自動的に配水され、滲み通るが、冷却用の蒸発分として使われずに残った水は、花瓶（６）の下の受け皿に流れ落ちて溜まる。
因って、受け皿の容量の選定には配慮する必要があると共に、冷えた花瓶（６）の中の水の冷却状態を悪化させないために、外気温の影響によって受け皿が温まるのを極力防ぎ、水の保冷にマイナスの影響を与えない、熱伝導率の低い素材の受け皿を使用した方がより高い冷やし効果が得られる。
又、本発明を正常な状態で装着している時には、花瓶（６）に切り花などが有る無しに関係なく、中に水が有る限り自動的に連続して水を吸い上げるので、時間の経過によって花瓶（６）の中の水量が減少する為に、水の補給と受け皿に溜まった水処理は必須の作業であるが、受け皿に溜まる水の量については、使用する花瓶（６）が同一であっても、使用時間の長さや、その時間中の気温や湿度などの影響によって蒸発誘導カバー（１）の蒸発量が変わるので、いつでも同じ水量になるとは限らない。
尚、本発明を繰り返して使用する場合には、その状態や状況に応じて洗濯や除菌などの手入れが必要である。
【符号の説明】
【０００９】１  蒸発誘導カバー、    ２  保水帯、          ３  安定補助帯、
４  水吸い上げ帯、      ５  カバー留め具、    ６  花瓶、          ７  ゴムひも
【図１】
2015097774.tif 000003
【図２】
2015097774.tif 000004
【図３】
2015097774.tif 000005